(57)【要約】【課題】  燃料ラックに簡易に取り付け、取り外しすることができる制振装置を提供する。【解決手段】  制振装置１は、使用済燃料プール１１内に互いに所定のギャップをもって設けられる複数の燃料ラック１０のうち、互いに隣り合う４つの燃料ラック１０により形成される十字のギャップに、長棒形状部材を挿嵌して設けられる。【選択図】  図１
2014199218.tif 000002
【特許請求の範囲】
【請求項１】
使用済燃料プール内に互いに所定のギャップをもって設けられる複数の燃料ラックのうち、互いに隣り合う４つの燃料ラックにより形成される十字のギャップに、長棒形状部材を挿嵌して設けられることを特徴とする燃料ラックの制振装置。
【請求項２】
使用済燃料プール内に互いに所定のギャップをもって設けられる複数の燃料ラックのうち、互いに隣り合う２つの燃料ラックの互いに隣接する長手側面に接触して、長棒形状部材を挿嵌して設けられることを特徴とする燃料ラックの制振装置。
【請求項３】
前記長棒形状部材は、弾性部材からなることを特徴とする請求項１または請求項２に記載の燃料ラックの制振装置。
【請求項４】
前記長棒形状部材は、内部に流体を封入可能な容器であることを特徴とする請求項１または請求項２に記載の燃料ラックの制振装置。
【請求項５】
使用済燃料プール内に互いに所定のギャップをもって設けられる複数の燃料ラックのうち、互いに隣り合う２つの燃料ラックの互いに隣接する長手側面に接触して、長板形状を挿嵌して設けられることを特徴とする燃料ラックの制振装置。
【請求項６】
前記長板形状は、２つの燃料ラックに対する方向に伸縮可能なばねであることを特徴とする請求項５に記載の燃料ラックの制振装置
【請求項７】
前記長棒形状部材または長板部材は、ガイドに収容されて前記燃料ラック間に挿入され、ガイドを引き抜いて配置することを特徴とする請求項１乃至請求項６の何れか一項に記載の燃料ラックの制振装置。
【請求項８】
前記燃料ラック間のギャップに長板形状からなる上方部材をさらに設けたことを特徴とする請求項１乃至請求項７の何れか一項記載の制振装置。
【請求項９】
請求項１乃至請求項８の何れか一項記載の制振装置を設けたことを特徴とする燃料ラック。 
【発明の詳細な説明】
【技術分野】
【０００１】
本発明は、燃料プール内に設けられる燃料ラックを制振する制振装置およびそれを用いた燃料ラックに関する。
【背景技術】
【０００２】
原子力発電施設において使用済燃料ならびに使用前燃料は、燃料プール内に設けられた燃料ラック内に収容されて保管される。この燃料ラックは、安全上重要な機器であるため万が一の地震等における健全性が求められる。そこで、燃料ラック同士を連結することにより剛性を高め、耐震性を向上させる技術が開発されている（例えば、特許文献１、２参照。）。
【先行技術文献】
【特許文献】
【０００３】
【特許文献１】特開平９−１０１３９１号公報
【特許文献２】特開平８−３３４５９６号公報
【発明の概要】
【発明が解決しようとする課題】
【０００４】
上述した特許文献１、２をはじめとする、燃料ラック間を連結して剛性を高める方法では、燃料ラックを交換するリラッキング作業等において、連結部材の取り外しおよび取り付け作業が発生するため、作業効率が低下するおそれがある。
【０００５】
そこで本発明は、簡易に取り付け、取り外しができる燃料ラックの制振装置およびそれを用いた燃料ラック装置の提供を目的とする。
【課題を解決するための手段】
【０００６】
上記目的を達成するために、本発明の制振装置は、使用済燃料プール内に互いに所定のギャップをもって設けられる複数の燃料ラックのうち、互いに隣り合う４つの燃料ラックにより形成される十字のギャップに、長棒形状部材を挿嵌して設けられることを特徴とする。
【０００７】
さらに上記目的を達成するために、本発明の制振装置は、使用済燃料プール内に互いに所定のギャップをもって設けられる複数の燃料ラックのうち、互いに隣り合う２つの燃料ラックの互いに隣接する長手側面に接触して、長棒形状部材を挿嵌して設けられることを特徴とする。
【発明の効果】
【０００８】
本発明によれば、燃料ラックの制振装置を簡易に取り付け、取り外しができる。
【図面の簡単な説明】
【０００９】
【図１】本発明の第１の実施形態に係る制振装置を用いた燃料ラックの上方鳥瞰図。
【図２】本発明の第１の実施形態に係る制振装置を用いた燃料ラックの上面図。
【図３】本発明の第１の実施形態に係る制振装置の斜視図。
【図４】本発明の第２の実施形態に係る制振装置を用いた燃料ラックの上面図。
【図５】本本発明の第２の実施形態に係る制振装置の概略図。
【図６】本本発明の第２の実施形態に係る制振装置の概略図。
【図７】本発明の第４の実施形態に係る振装置を用いた燃料ラックの上面図。
【図８】本発明の第４の実施形態に係る制振装置の支持棒を用いた変形例を示す概略図であり、（a）は横面図、（ｂ）は上面図。
【図９】本発明の第５の実施形態に係る制振装置を用いた燃料ラックの上面図。
【発明を実施するための形態】
【００１０】
以下、本発明の実施形態を説明する。
【００１１】
（第１の実施形態）
（構成）
以下、本発明の第１の実施形態に係る制振装置について図１から図３を参照して説明する。図１は、本発明の第１の実施形態に係る制振装置を用いた燃料ラックの上方鳥瞰図である。
【００１２】
使用済燃料プール１１は、プール水（図示せず）が満たされており、複数の燃料ラック１０が使用済燃料プール１１の底面から立設して設けられる。複数の燃料ラック２は、互いに離間して所定のギャップをもって配置されている。燃料ラック２内に上方から使用済燃料ならびに使用前燃料（図示せず）が収容される。
【００１３】
図２は、本発明の第１の実施形態に係る制振装置を用いた燃料ラックの上面図である。図３は、本発明の第１の実施形態に係る制振装置の斜視図である。制振装置１は、互いに隣り合う４つの燃料ラック１０により形成される十字のギャップに上方から挿嵌される長棒形状部材であり、長手方向に垂直な断面が十字形状である。さらに制振装置１は、弾性を有する部材とすることができる。また、制振装置１に燃料プール１１内の水の循環を促すように適宜、貫通孔やスリットを設けてもよい。
【００１４】
（作用）
以下、本発明の第１の実施形態の作用について説明する。
【００１５】
制振装置１は、上方から挿嵌されて複数の燃料ラック１０に挟み込まれた状態で設置され、燃料ラック１０の横方向の変位に対して支持を行うとともに、燃料ラック１０同士のギャップの水平方向の流路を塞ぐ。
【００１６】
ここで、隣り合う燃料ラック１０間に相対加速度が生じた場合、ギャップ内のプール水による抵抗力が燃料ラック１０に対して生じる。この抵抗力により燃料ラック１０の制振効果が得られるが、ギャップからプール水が漏れやすい場合、大きな抵抗力を得ることが難しい。そこで、制振装置１を設置してギャップを塞ぐことよって、ギャップ内のプール水をギャップ内に留め、より大きい抵抗力を得ることができ。
【００１７】
さらに制振装置１を弾性部材とし、圧縮された状態で設置することによって、地震動による燃料ラック１０の相互変位によってギャップ間距離が変化した場合にも追従して流路を塞ぐことが可能である。
【００１８】
燃料ラック１０を交換するリラッキング作業等においては、交換対象となる燃料ラック１０の周囲の制振装置１を上方に引抜いて取り外す。制振装置１の上部に取り付け、取り外し用の吊り金具を設けることにより、クレーンによって容易に取り付け、取り外しをすることができる。さらにギャップ内の制振装置１を浮き上がらないように、燃料ラック１０に可動式の固定つめを設けてもよい。
【００１９】
（効果）
本発明の第１の実施形態によれば、制振装置１を燃料ラック１０へ簡易に取り付け、取り外しができる。さらに制振装置１によってギャップを塞ぎ、燃料ラック１０の制振を行うことができる。
【００２０】
（第２の実施形態）
（構成）
以下、本発明の第２の実施形態に係る制振装置について図４および図５を参照して説明する。第１の実施形態に係る制振装置の各部と同一部分には同一符号を付し、同一の構成についての説明は省略する。
【００２１】
図４は、本発明の第２の実施形態に係る制振装置を用いた燃料ラックの上面図である。図５は、本発明の第２の実施形態に係る制振装置の概略図である。第２の実施形態の制振装置１は、２つの燃料ラック１０の長手側面に両側面を接触可能な長板形状であり、さらギャップ方向に伸縮可能な蛇腹形状とすることができる。なお制振装置１は、長板形状だけでなく弾性を有する長棒形状部材としてもよい。
【００２２】
２つの燃料ラック１０間のギャップに制振装置１を上方から挿嵌し、ギャップ３内の水平方向の流路を塞ぐように設置する。制振装置１は燃料ラック２に直接固定されておらず、反力により両側の燃料ラック１０を付勢し、２つの燃料ラック１０に挟まれて設置される。
【００２３】
（作用）
以下、本発明の第２の実施形態の作用について説明する。
【００２４】
制振装置１は、地震時の２つの燃料ラック１０の相互変位を支持する。さらに、制振装置１をギャップ内のプール水を取り囲むように設置することによって、ギャップ内の流体が外方にギャップに漏れ出ることを抑制する。さらに２つの燃料ラック１０の向かい合う長手側面の各々に、ばね形状の制振装置１を差し込むガイドレールを設けることによって、より簡易に制振装置１を設置することができる。
【００２５】
（効果）
本発明の第２の実施形態によれば、長棒形状部材または長板形状の制振装置１を容易に設置、取り外しができるとともに、２つの燃料ラック１０を支持し、さらにギャップのプール水の流通を阻害することができる。
【００２６】
（第３の実施形態）
（構成）
以下、本発明の第３の実施形態に係る制振装置について図６を参照して説明する。第１の実施形態に係る制振装置の各部と同一部分には同一符号を付し、同一の構成についての説明は省略する。
【００２７】
図６は、本発明の第３の実施形態に係る制振装置の上面図である。第３の実施形態において、燃料ラック１０への取り付け前の制振装置１は、ガイド３内に弾性部材２が収容された状態である。ガイド３は、４つの燃料ラック１０によって形成される十字のギャップ形状に外周を合わせた筒形状である。弾性部材２は、長手方向に垂直な断面が十字形状の長棒形状部材である。
【００２８】
（作用）
以下、本発明の第３の実施形態の作用について説明する。
【００２９】
制振装置１の燃料ラック１０への取り付け時において、ガイド３をギャップに挿入した後、ガイド２のみを上部に引き抜き、内部の弾性部材２のみをギャップ内に配置する。弾性部材２は、ガイド２の拘束が解かれ、周囲の燃料ラック１０に膨張して密着する。
【００３０】
（効果）
本発明の第３の実施形態によれば、弾性部材４をギャップ３に設置することが可能となり、取付け作業が簡易となる。なお、断面が十字形状の弾性部材２だけでなく、第２の実施形態に示すばね形状の制振装置１の場合においても、ガイド２に長板ばねを縮めた状態で収め、ガイド２を燃料ラック１０間に上方から挿嵌した後に、ガイド２を取り外すことによって、長板ばねのみを燃料ラック１０間に配置することができる。
【００３１】
（第４の実施形態）
（構成）
以下、本発明の第４の実施形態に係る制振装置について図７および図８を参照して説明する。第１の実施形態に係る制振装置の各部と同一部分には同一符号を付し、同一の構成についての説明は省略する。
【００３２】
図７は、本発明の第４の実施形態に係る振装置を用いた燃料ラックの上面図である。第４の実施形態の制振装置１は、隣り合う燃料ラック１０間のギャップに配置され、内部に流体を封入することができる容器形状である。制振装置１は、流体封入口（図示せず。）を有し、外部から流体封入口によって流体を封入し膨らませ、流体を排出し縮ませることができる。
【００３３】
（作用）
以下、本発明の第４の実施形態の作用について説明する。制振装置１の容器内の流体の量が少ない状態または流体のない状態で、制振装置１をギャップに挿入する。ギャップへの挿入後に容器７内に流体を封入し容器７を膨らませ、両側の燃料ラック１０に密着させる。
【００３４】
さらに本実施形態は、以下の変形が可能である。図８は、本発明の第４の実施形態に係る制振装置の支持棒を用いた変形例を示す概略図であり、（a）は横面図、（ｂ）は上面図である。この場合、ギャップに挿入する際に位置決め等の作業をし易くするため、容器６側面に支持棒５を設ける構成とする。さらに燃料ラック１０の長手側面に支持棒５を上方から滑り入れるスライドレールを設けることによって容易に制振装置１を設置することができる。
【００３５】
（効果）
本発明の第４の実施形態によれば、流体の封入、排水により容器７の膨張収縮の調節を行い、制振装置１の取り付けを容易に行うことができる。なお、２つの燃料ラック１０間に配置する形状だけでなく、第１の実施形態のように４つの燃料ラック１０間の十字のギャップに挿入可能な形状としてもよい。
【００３６】
（第５の実施形態）
（構成）
以下、本発明の第５の実施形態に係る制振装置について図９を参照して説明する。第１の実施形態に係る制振装置の各部と同一部分には同一符号を付し、同一の構成についての説明は省略する。
【００３７】
図９は、ｃである。第５の実施形態の制振装置は、上方部材７をさらに有する。上方部材７は、燃料ラック１０の間に配置される長棒形状部材の上方において、長板形状を水平にして長棒形状部材の上端を橋渡すように設けられる。
【００３８】
（作用）
以下、本発明の第５の実施形態の作用について説明する。燃料ラック１０の間に配置される長棒形状部材は、水平方向のプール水の流通を抑制する。さらに上方部材７は、制振装置１から上方への流体の漏れ出しを抑制する。さらに上方部材７を複数の制振装置１を跨ぐように設けることによって安定性を高め、複数の制振装置ならびに上方部材によって流体を閉じ込め、より流体の漏洩を防ぐことができる。
【００３９】
（効果）
本発明の第５の実施形態によれば、制振装置１によって水平方向に加え、上方部材７によって上方への流体のギャップからの漏れを防ぐことにより、流体による抵抗力を得ることができる。 
【符号の説明】
【００４０】
１・・・制振装置
２・・・弾性部材
３・・・ガイド
５・・・支持棒
６・・・容器
７・・・上方部材
１０・・・燃料ラック
１１・・・燃料プール 
【図１】
2014199218.tif 000003
【図２】
2014199218.tif 000004
【図３】
2014199218.tif 000005
【図４】
2014199218.tif 000006
【図５】
2014199218.tif 000007
【図６】
2014199218.tif 000008
【図７】
2014199218.tif 000009
【図８】
2014199218.tif 000010
【図９】
2014199218.tif 000011